(57)【要約】【課題】  構成部品の種類を減らしてコストダウンを図ることが可能な空調室内機のファンの軸受け機構およびこれを備えた送風装置を提供する。【解決手段】  軸受け機構７５は、クロスフローファン７１の左右のシャフト７１２ａ、７１２ｂと、この左右のシャフト７１２ａ、７１２ｂを軸支する軸受け７２２ａ、７２２ｂと、軸受け７２２ａ、７２２ｂを支持する軸受け保持部７２３ａ、７２３ｂとを有している。軸受け機構７５は、特に、左右のシャフト７１２ａ、シャフト７１２ｂが共通の部品を用いて構成されている。【選択図】      図７
2005069124.tif 000002
【特許請求の範囲】
【請求項１】
空気調和された空気を室内へ供給する空調室内機のファン（７１）の軸受け機構（７５）であって、
前記ファン（７１）の一端に設けられた第１の回転軸（７１２ａ）と、
前記ファン（７１）の他端に設けられた第２の回転軸（７１２ｂ）と、
前記第１の回転軸（７１２ａ）を軸支する第１の軸受け（７２２ａ）と、
前記第２の回転軸（７１２ｂ）を軸支する第２の軸受け（７２２ｂ）と、
を備えており、
前記第１の回転軸（７１２ａ）と第２の回転軸（７１２ｂ）とは回転軸径が共通である空調室内機のファン（７１）の軸受け機構（７５）。
【請求項２】
前記第１の回転軸（７１２ａ）と第２の回転軸（７１２ｂ）とは、共通の部品を用いて構成されている、
請求項１に記載の空調室内機のファン（７１）の軸受け機構（７５）。
【請求項３】
前記第１の軸受け（７２２ａ）と第２の軸受け（７２２ｂ）とは、共通の部品を用いて構成されている、
請求項１または２に記載の空調室内機のファン（７１）の軸受け機構（７５）。
【請求項４】
前記第１の軸受け（７２２ａ）と第２の軸受け（７２２ｂ）とは、前記ファン（７１）の両端に１個ずつ設けられており、前記第１の回転軸（７１２ａ）と第２の回転軸（７１２ｂ）とをそれぞれ一点支持している、
請求項１から３のいずれか１項に記載の空調室内機のファン（７１）の軸受け機構（７５）。
【請求項５】
前記第１の軸受け（７２２ａ）と第２の軸受け（７２２ｂ）とは、それぞれ軸受け保持部材（７２３ａ、７２３ｂ）において自在に保持されている、
請求項１から４のいずれか１項に記載の空調室内機のファン（７１）の軸受け機構（７５）。
【請求項６】
前記空調室内機のファン（７１）は、一方の側に連結されたモータ回転子（７１３）の径方向内側に配置されたモータ固定子（７２０）によって回転させられる、
請求項１から５のいずれか１項に記載の空調室内機のファン（７１）の軸受け機構（７５）。
【請求項７】
前記第１の回転軸（７１２ａ）と第２の回転軸（７１２ｂ）とは、前記モータ回転子（７１３）が連結された側に設けられた第１の回転軸（７１２ａ）を基準にして共通化されている、
請求項６に記載の空調室内機のファン（７１）の軸受け機構（７５）。
【請求項８】
前記空調室内機のファン（７１）はクロスフローファン（７１）である、
請求項１から７のいずれか１項に記載の空調室内機のファン（７１）の軸受け機構（７５）。
【請求項９】
請求項１から８のいずれか１項に記載の空調室内機のファン（７１）の軸受け機構（７５）と、
空調室内機のファン（７１）と、
前記空調室内機のファン（７１）の一端に連結されたモータ回転子（７１３）と、
前記モータ回転子（７１３）を回転させるモータ固定子（７２０）と、
を備えている送風装置（８）。
【発明の詳細な説明】
【技術分野】
【０００１】
本発明は、両端に突出した回転軸を中心として回転する空調室内機のファンの軸受け機構およびこれを備えた送風装置に関する。
【背景技術】
【０００２】
従来から、ビルや住宅等において調和された空気を屋内に送風することにより、屋内の快適性を向上させる空気調和装置が知られている。例えば、エアコンは、温風や冷風を屋内に送風することにより、室内を快適な温度に保つことができる。
【０００３】
このような空気調和装置には、屋内に調和された空気を送風するための送風装置が設けられている場合が多い。
【０００４】
この送風装置は、調和後の空気を室内に送風するクロスフローファンと、クロスフローファンに連結されるモータ回転子と、モータ回転子を回転させるモータ固定子とを備えている。モータ回転子は、モータ固定子の径方向外方に配置され、モータ固定子により回転軸を中心に回転される。このような送風装置では、屋内に空気を送風するために、まず、モータ固定子がモータ回転子を回転させる。そして、この回転力がモータ回転子に連結されるクロスフローファンのエンドプレートに伝達されてクロスフローファンを回転させることにより、調和後の空気を屋内に供給することができる。
【０００５】
このような従来のクロスフローファン９００は、図８に示すように、先端部９１１がその断面形状がD型に加工されファンモータ９１０内の２つの軸受け９２０ａで２点支持された第１のシャフト９１２ａと、自在軸受け９２０ｂに１点支持されており前記第１のシャフト９１２ａよりも径が大きい第２のシャフト９１２ｂとを回転軸として回転する。そして、第１のシャフト９１２ａのＤ型の先端部９１１とクロスフローファン９００を構成する複数の翼片を保持する側板９３０とを固定ねじ９５０等を用いて固定することにより、ファンモータ９１０の回転駆動によってクロスフローファン９００が回転する。
【特許文献１】特開２００１−１５３３９２号公報
【特許文献２】特開平１１−２７０８７４号公報
【特許文献３】特開平１０−２４６２３４号公報
【特許文献４】特開平０９−０２１５４４号公報
【発明の開示】
【発明が解決しようとする課題】
【０００６】
しかしながら、上記従来のクロスフローファンは、以下に示すような問題を有している。
【０００７】
すなわち、従来のクロスフローファンは、一般的に、図８に示すようにインナーロータ方式のファンモータ９１０を採用しており、ファンモータ９１０が有している軸受け９２０ａによって第１のシャフト９１２ａが２点支持されている。このため、クロスフローファン９００の両端に設けられたシャフト９１２ａ、９１２ｂの部品を共通化することができず、それぞれを別々の部品によって構成しなくてはならない。よって、部品の種類が増えてコストアップの要因になってしまうという問題がある。
【０００８】
本発明の課題は、構成部品の種類を減らしてコストダウンを図ることが可能な空調室内機のファンの軸受け機構およびこれを備えた送風装置を提供することにある。
【課題を解決するための手段】
【０００９】
請求項１に記載の空調室内機のファンの軸受け機構は、空気調和された空気を室内へ供給する空調室内機のファンの軸受け機構であって、ファンの一端に設けられた第１の回転軸と、ファンの他端に設けられた第２の回転軸と、第１の回転軸を軸支する第１の軸受けと、第２の回転軸を軸支する第２の軸受けと、を備えている。そして、第１の回転軸と第２の回転軸とは回転軸径が共通である。
【００１０】
本発明の室内空調機のファンの軸受け機構は、その両端に第１の回転軸と第２の回転軸とを備えている。そして、この第１の回転軸と第２の回転軸とは、共通の回転軸径を有している。これにより、空調室内機のファンの回転軸を構成する材料を共通化して、同じ材料から第１の回転軸と第２の回転軸とを構成できるため材料の種類を減らして、コストダウンを図ることができる。
【００１１】
請求項２に記載の空調室内機のファンの軸受け機構は、第１の回転軸と第２の回転軸とは、共通の部品を用いて構成されている、
ここでは、第１の回転軸と第２の回転軸とが共通の部品から構成されているため、部品の種類を減らしてコストダウンが図れる。
【００１２】
請求項３に記載の空調室内機のファンの軸受け機構は、請求項１または２に記載の空調室内機のファンの軸受け機構であって、第１の軸受けと第２の軸受けとは、共通の部品を用いて構成されている。
【００１３】
ここでは、第１の軸受けと第２の軸受けとをそれぞれ軸支する軸受けについても、ファンの両端で共通の部品を用いて構成されている。これにより、さらに部品の種類を低減してコストダウンを図ることができる。
【００１４】
請求項４に記載の空調室内機のファンの軸受け機構は、請求項１から３のいずれか１項に記載の空調室内機のファンの軸受け機構であって、第１の軸受けと第２の軸受けとは、ファンの両端に１個ずつ設けられており、第１の回転軸と第２の回転軸とをそれぞれ一点支持している。
【００１５】
ここでは、ファンの両側の回転軸がそれぞれ軸受けにおいて１点支持されることで、空調室内機本体へファンを取り付ける際に回転軸に対してファンを斜めにして取り付けることが可能になる。よって、従来よりも容易に空調室内機本体へファンを取り付けることができる。さらに、左右両端の回転軸をそれぞれ一点支持とすることで、従来の片側２点支持の場合と比較して、回転軸の傾き等による問題の発生を低減できる。
【００１６】
請求項５の空調室内機のファンの軸受け機構は、請求項１から４のいずれか１項に記載の空調室内機のファンの軸受け機構であって、第１の軸受けと第２の軸受けとは、それぞれ軸受け保持部材において自在に保持されている、
ここでは、軸受けが軸受け保持部材において自在に保持されることで調芯機能を有するため、軸受け内に差し込まれた回転軸を斜めにして空調室内機本体へ取り付けた場合において、調芯を行わなくてもファンの回転軸の中心と仮想の回転軸の中心とを一致させることができる。よって、従来は必要であった調芯作業を不要にでき、組立工程を簡略化して更なるコストダウンが可能になる。
【００１７】
請求項６の空調室内機のファンの軸受け機構は、請求項１から５のいずれか１項に記載の空調室内機のファンの軸受け機構であって、空調室内機のファンは、一方の側に連結されたモータ回転子の径方向内側に配置されたモータ固定子によって回転させられる。
【００１８】
ここでは、一方の側の軸受けをアウターロータ方式のモータファン内に設け、他方の軸受けと共通化する。これにより、左右両側の回転軸と軸受けとを共通化することができ、コストダウンが可能になる。
【００１９】
請求項７の空調室内機のファンの軸受け機構は、請求項１から６のいずれか１項に記載の空調室内機のファンの軸受け機構であって、第１の回転軸と第２の回転軸とは、モータ回転子が連結された側に設けられた第１の回転軸を基準にして共通化されている。
【００２０】
ここでは、アウターロータによって回転駆動される側に設けられた回転軸を基準に両側の回転軸を共通化する。これにより、径の細い軸を用いて共通化することができ、より効果的なコストダウンが可能になる。
【００２１】
請求項８の空調室内機のファンの軸受け機構は、請求項１から７のいずれか１項に記載の空調室内機のファンの軸受け機構であって、空調室内機のファンはクロスフローファンである。
【００２２】
ここでは、本発明をクロスフローファンに適用することで、両端の回転軸を共通化することによりコストダウンされたクロスフローファンを提供できる。
【００２３】
請求項９に記載の送風装置は、請求項１から８のいずれか１項に記載の空調室内機のファンの軸受け機構と、空調室内機のファンと、空調室内機のファンの両端の一方の側に連結されたモータ回転子と、モータ回転子を回転させるモータ固定子と、を備えている。
【００２４】
ここでは、空調室内機のファンの軸受け機構は、左右両端の回転軸と軸受けとを共通化している。空調室内機のファンは、前記軸受け機構に軸支されて回転する。モータ回転子は、前記空調室内機のファンの一方の側に連結されており、ファンモータに設けられたモータ固定子から受ける磁気によってファンを回転させる。このため、空調室内機のファンの両端の回転軸および軸受けの部品を共通化し、部品の種類を減らしてコストダウンが可能な送風装置を提供できる。
【発明の効果】
【００２５】
請求項１に記載の空調室内機のファンの軸受け機構によれば、空調室内機のファンの回転軸を構成する材料を共通化して、同じ材料から第１の回転軸と第２の回転軸とを構成できるため材料の種類を減らして、コストダウンを図ることができる。
【００２６】
請求項２に記載の空調室内機のファンの軸受け機構によれば、左右両側に１個ずつ設けられたの回転軸と軸受けとを共通の部品を用いて構成することで、部品の種類を減らしてコストダウンが可能になる。
【００２７】
請求項３に記載の空調室内機のファンの軸受け機構によれば、さらに部品の種類を低減してコストダウンを図ることができる。
【００２８】
請求子４に記載の空調室内機のファンの軸受け機構によれば、空調室内機本体へのファンの取り付けが容易になる。
【００２９】
請求項５に記載の空調室内機のファンの軸受け機構によれば、空調室内機本体へファンを取り付けた後の調芯作業を不要にできる。
【００３０】
請求項６に記載の空調室内機のファンの軸受け機構によれば、左右両端で共通の回転軸と軸受けとからなる軸受け機構のうちの一方を、アウターロータ方式のファンモータ内に設けることで、本発明をアウターロータ方式のファンにも適用できる。
【００３１】
請求項７に記載の空調室内機のファンの軸受け機構によれば、径が細いアウターロータ側の回転軸を基準にして左右両端の回転軸および軸受けを共通化することで、より効果的にコストダウンできる。
【００３２】
請求項８に記載の空調室内機のファンの軸受け機構によれば、コストダウン可能なクロスフローファンを提供できる。
【００３３】
請求項９に記載の送風装置によれば、左右両端に各１個ずつ設けられた回転軸と軸受けとを共通の部品で構成することで、部品の種類を減らしてコストダウンが可能な送風装置を提供できる。
【発明を実施するための最良の形態】
【００３４】
＜空気調和装置の全体構成＞
本発明の一実施形態が採用された空気調和装置１の外観を図１に示す。
【００３５】
この空気調和装置１は、調和された空気を室内に供給するための装置である。空気調和装置１は、室内の壁面などに取り付けられる室内機２と、室外に設置される室外機３とを備えている。
【００３６】
室内機２内には室内熱交換器５０が収納され、室外機３内には室外熱交換器３０が収納される。また、各熱交換器３０、５０が冷媒配管４により接続されることにより冷媒回路を構成している。
【００３７】
＜空気調和装置の冷媒回路の概略構成＞
空気調和装置１の冷媒回路の構成を図２に示す。この冷媒回路は、主として室内熱交換器５０、室外熱交換器３０、アキュムレータ３１、圧縮機３２、四路切換弁３３および電動膨張弁３４で構成される。
【００３８】
室内機２に設けられている室内熱交換器５０は、接触する空気との間で熱交換を行う。また、室内機２には、室内空気を吸い込んで室内熱交換器５０に通し熱交換が行われた後の空気を室内に排出するためのクロスフローファン（空調室内機のファン）７１が設けられている。このクロスフローファン７１は、長細い円筒形状に構成され、中心軸が水平方向に平行になるように配置されている。クロスフローファン７１は、室内機２内に設けられる室内ファンモータ７２によって中心軸を中心にして回転駆動される。室内機２の詳細な構成については後に説明する。
【００３９】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器５０の一端と接続される。また、四路切換弁３３は、ガス閉鎖弁３７を介して配管４２に接続されており、この配管４２を介して室内熱交換器５０の他端と接続されている。この配管４１、４２は、図１の冷媒配管４に相当する。また、室外機３には、室外熱交換器３０での熱交換後の空気を外部に排出するためのプロペラファン３８が設けられている。このプロペラファン３８は、室外ファンモータ３９によって回転駆動される。
【００４０】
＜室内機の構成＞
室内機２は、正面視に置いて横方向に長い形状を有している（図１参照）。室内機２は、主として、上部ケーシング６、送風機構７および室内機２の内部に収容されている室内熱交換器ユニット５（図３参照）によって構成されている。上部ケーシング６は、室内機２の上部を覆っている。送風機構７は、室内機２の下部を構成している。
【００４１】
以下、図３を参照して、室内機２の各構成について説明する。
【００４２】
室内熱交換器ユニット５は、室内熱交換器５０、補助配管（図示せず）、等によって構成されている。
【００４３】
この室内熱交換器５０は、クロスフローファン７１の円周面に対向して配置されており、クロスフローファン７１の前方、上方および後方を取り囲むように取り付けられている。室内熱交換器５０は、クロスフローファン７１が回転することにより吸い込み口６０、６１から吸い込まれた空気をクロスフローファン７１側に通過させ、伝熱管の内部を通過する冷媒との間で熱交換を行わせる。
【００４４】
補助配管は、室内熱交換器５０と室内機２の外部にある冷媒配管４とを繋ぐ。この補助配管には、室内熱交換器５０と室外熱交換器３０との間を行き来する冷媒が流れる。
【００４５】
＜送風機構の構成＞
送風機構７は、室内熱交換器５０において熱交換された空気を室内に送風するための装置である。送風機構７は、室内機２の下部を構成しており、図３および図４に示すように、下部ケーシング７０、送風ユニット８等がモジュール化されて構成されている。
【００４６】
（下部ケーシング）
下部ケーシング７０は、外面部７４、支持部７８等によって構成されている。
【００４７】
外面部７４は、正面視において室内機２の外面として視野に現れる部分であり、上端が室内機２の前側に傾斜するように配置されている。また、外面部７４には、室内機２の長手方向に沿う開口からなる吹き出し口７４１が設けられている。この吹き出し口７４１は、図３に示すように、クロスフローファン７１が収納されている支持部７８の内部の空間に連通しており、クロスフローファン７１によって生成された空気流は吹き出し口７４１を通って室内へと吹き出す。また、吹き出し口７４１には、室内へと吹き出す空気が案内される水平フラップ７４２が設けられている。水平フラップ７４２は、室内機２の長手方向に平行な軸を中心に回動自在に設けられている。この水平フラップ７４２は、フラップモータ（図示せず）によって回転駆動されることにより、吹き出し口７４１の開閉を行うことができる。
【００４８】
支持部７８は、外面部７４によって囲まれている。支持部７８には、上方から送風ユニット８、電装品箱７３、室内熱交換器ユニット５等が取り付けられる。そして、支持部７８は、送風ユニット８、電装品箱７３、室内熱交換器ユニット５等を下方から支持する。
【００４９】
＜送風ユニット＞
送風ユニット８は、クロスフローファン７１と、クロスフローファン７１を回転させるための室内ファンモータ７２と、室内ファンモータ７２の駆動を制御するための電装品を収納する電装品箱７３と、クロスフローファン７１の回転軸を支持する軸受け機構７５とを有している。
【００５０】
（クロスフローファン）
クロスフローファン７１は、ＡＳ樹脂などからなる樹脂製品であり、長細い円筒形状に構成される。クロスフローファン７１は、後述するロータ（モータ回転子）７１３をインサート品とするインサート成形により成形される。このクロスフローファン７１は、中心軸すなわち回転軸Ａ１が水平になるように配置される。このクロスフローファン７１が回転軸を中心として回転することにより、空気流が生成される。この空気流は、吸い込み口６０、６１から取り入れられ室内熱交換器５０を通って吹き出し口７４１から室内へと吹き出す空気の流れである。クロスフローファン７１は、側面視において室内機２の概ね中央に位置している。
【００５１】
また、クロスフローファン７１は、図５に示すように、エンドプレート７１０と、羽部（翼片）７１１と、シャフト（第１の回転軸）７１２ａと、ロータ７１３とを有している。エンドプレート７１０は、円筒形状のクロスフローファン７１の両端に設けられている円板である。また、このエンドプレート７１０は、クロスフローファン７１と後述するロータ７１３とを連結するために用いられている。羽部７１１は、２枚のエンドプレート７１０の間に環状に複数枚配置されてエンドプレート７１０で保持される。シャフト７１２ａは、エンドプレート７１０の中央、回転軸Ａ１上に配置され、クロスフローファン７１が回転する際の回転軸となる。なお、シャフト７１２ａについては、軸受け機構７５について説明する後段において詳述する。
【００５２】
（室内ファンモータ）
室内ファンモータ７２は、クロスフローファン７１を回転軸周りに回転駆動する。室内ファンモータ７２は、図４に示すような、薄型アウターロータ型のモータである。この室内ファンモータ７２は、図５に示すように、ステータ（モータ固定子）７２０と、ロータ７１３と、軸受け（第１の軸受け）７２２ａと、軸受け保持部（軸受け保持部材）７２３ａとを有している。
【００５３】
ステータ７２０は、ロータ７１３を回転させるためのものであり、磁界を発生させるための図示しない鉄心やコイルなどを有する。ステータ７２０は、さらに、固定部７２５を有している。ステータ７２０は、この固定部７２５を包むゴム製の保持部材７２６を介して支持部７８に支持される（図４参照）。
【００５４】
ロータ７１３は、ステータ７２０の発生する磁界により回転軸Ａ１を中心に回転する。このロータ７１３は、クロスフローファン７１を形成する樹脂の融点以上の融点を有し微小な磁石粒を含む樹脂から形成されている。また、ロータ７１３は、ステータ７２０の径方向外方に配置されている。
【００５５】
軸受け７２２ａは、樹脂製の部材であって、クロスフローファン７１のシャフト７１２ａを軸支する。軸受け保持部７２３ａは、ゴム製の部品であって軸受け７２２ａを支持している。なお、軸受け７２２ａ、軸受け保持部７２３ａについては、軸受け機構７５について説明する後段にて詳述する。
【００５６】
（軸受け機構）
軸受け機構７５は、図７に示すように、クロスフローファン７１の左右のシャフト７１２ａ、７１２ｂと、この左右のシャフト７１２ａ、７１２ｂを軸支する軸受け７２２ａ、７２２ｂと、軸受け７２２ａ、７２２ｂを支持する軸受け保持部７２３ａ、７２３ｂと、を有している。
【００５７】
本実施形態の軸受け機構７５では、特に、シャフト７１２ａ、７１２ｂおよび軸受け７２２ａ、７２２ｂがそれぞれ左右両端で共通の部品を用いて構成されている。
【００５８】
シャフト７１２ａ、７１２ｂは、アウターロータ方式の室内ファンモータ７２側のシャフト７１２ａが基準となって共通化されている。
【００５９】
軸受け７２２ａ、７２２ｂは、シャフト７１２ａ、７１２ｂに対応する共通の部品を用いて構成されている。この軸受け７２２ａ、７２２ｂは、シャフト７１２ａ、７１２ｂを一点で軸支するとともに、軸受け保持部７２３ａ、７２３ｂにおいて自在に保持されることで調芯機能を有する。
【００６０】
軸受け保持部７２３ａ、７２３ｂは、ゴム製の部品から構成されており、振動を吸収してクロスフローファン７１の回転を安定させる。そして、軸受け保持部７２３ａ、７２３ｂには軸受け７２２ａ、７２２ｂが挿入されている。この軸受け７２２ａ、７２２ｂが軸受け保持部７２３ａ、７２３ｂ内で自在に動くことで、いわゆる自在軸受けとしての機能が発揮される。
【００６１】
＜クロスフローファンの成形方法＞
図６にクロスフローファン７１をインサート成形する際の成形作業のフローを示す。
【００６２】
まず、ロータ７１３とシャフト７１２ａとを成形用金型の空洞部内に装填する（ステップＳ１０１）。次に、成形用金型を閉じる（ステップＳ１０２）。そして、エンドプレート７１０を形成する加熱融解された樹脂を成形用金型内の空洞部に加圧注入する（ステップＳ１０３）。その後、エンドプレート７１０を形成する樹脂を成形用金型内で冷却固化させる（ステップＳ１０４）。樹脂の固化後、成形用金型を開いて（ステップＳ１０５）、エンドプレート７１0とシャフト７１２ａとロータ７１３との連結体を成形用金型から取り出す（ステップＳ１０６）。
［本実施形態の軸受け機構の特徴］
（１）
本実施形態のクロスフローファン７１の軸受け機構は、図７に示すように、左右両端のシャフト７１２ａ、７１２ｂが共通の部品で構成されている。
【００６３】
従来のクロスフローファンでは、通常、ファンモータとの連結側と自在軸受けとの連結側とでシャフトの形状が異なっており、異なる部品で左右のシャフトが構成されていた。例えば、インナーロータ方式のファンモータによって回転するクロスフローファンでは、ファンモータにおいて２点支持されたシャフトの先端部分をクロスフローファンに差し込み、固定ビス等で固定することで連結していた。このため、クロスフローファンのファンモータとの連結側にはシャフトが設けられておらず、クロスフローファンのファンモータ側にはシャフトを差し込む穴が形成されていた。よって、ファンモータとの接続側のシャフトは他方の側のシャフトよりも長いものが用いられて左右のシャフトは異なる部品を用いて構成される。さらに、アウターロータ方式のファンモータによって回転するクロスフローファンでも、ファンモータとの連結側はファンモータに設けられたモータ固定子等との位置関係から、通常、シャフトの径が小さくなってしまう。一方、自在軸受けに差し込まれる側のシャフトはこういった制約がないため、ファンモータ側のシャフトよりも径が大きいシャフトが用いられて、左右両端で径が異なるシャフトが用いられていた。
【００６４】
これに対して、本実施形態のクロスフローファン７１では、左右両端のシャフト７１２ａ、７１２ｂを共通の部品を用いて構成することで、クロスフローファン７１を構成する部品の種類を減らしてコストダウンを図ることができる。また、前記左右共通の部品からなるシャフト７１２ａ、７１２ｂに対応する軸受け７２２ａ、７２２ｂについても左右両端で共通の部品を用いて構成することで、さらに構成部品の種類を減らしてコストダウンが可能になる。
【００６５】
（２）
本実施形態のクロスフローファン７１の軸受け機構７５においては、左右共通のシャフト７１２ａ、７１２ｂが軸受け７２２ａ、７２２ｂによって一点支持されている。
【００６６】
例えば、インナーロータ方式のファンモータによって回転させられる従来のクロスフローファンでは、一方のシャフトがファンモータにおいて２点支持されている。このため、２つの軸受けに差し込まれたシャフトを仮想の回転軸方向に対して斜めにすることができない。通常、クロスフローファンの空調室内機本体への取り付けは、シャフトを軸受けに差し込んだ状態で行われる。このため、従来のクロスフローファンを室内機２本体へ取り付ける際に、軸受けに差し込まれたシャフトを軸受け内で斜めにすることができない場合には、取り付けが非常に困難になるという問題がある。
【００６７】
これに対して、本実施形態のクロスフローファン７１の軸受け機構７５では、左右のシャフト７１２ａ、７１２ｂをそれぞれ１つずつの軸受け７２２ａ、７２２ｂにより一点支持している。このため、軸受け７２２ａ、７２２ｂにシャフト７１２ａ、７１２ｂを差し込んだままの状態でシャフト７１２ａ、７１２ｂを仮想の回転軸Ａ１方向に対して斜めにすることができる。よって、室内機２本体へのクロスフローファン７１の取り付けが容易になり、生産効率の向上が図れる。
【００６８】
（３）
本実施形態のクロスフローファン７１の軸受け機構７５においては、両端のシャフト７１２ａ、７１２ｂが調芯機能を備えた軸受け７２２ａ、７２２ｂによって軸支されている。具体的には、ゴム製の軸受け保持部７２３ａ、７２３ｂの中に金属製の軸受け７２２ａ、７２２ｂが挿入され、シャフト７１２ａ、７１２ｂを挿入された軸受け７２２ａ、７２２ｂが軸受け保持部７２３ａ、７２３ｂ内で自在に動くことで、調芯機能を実現している。
【００６９】
これにより、シャフト７１２ａ、７１２ｂを軸受け７２２ａ、７２２ｂ内で斜めにして室内機２本体への取り付けを行った場合でも、軸受け７２２ａ、７２２ｂの調芯機能によって仮想の回転軸Ａ１とシャフト７１２ａ、７１２ｂとを同軸上に合わせることができる。よって、シャフト７１２ａ、７１２ｂの中心と仮想の回転軸Ａ１との位置合わせが不要になり、仮想の回転軸Ａ１とシャフト７１２ａ、７１２ｂの軸の中心位置との不一致による回転不具合の発生を防止できる。
【００７０】
（４）
本実施形態では、クロスフローファン７１の左右両端に１個ずつ設けられたシャフト７１２ａ、７１２ｂおよび軸受け７２２ａ、７２２ｂが、ロータ７１３が連結された側に設けられたシャフト７１２ａを基準にして共通化されている。
【００７１】
ここでは、ロータ７１３によって回転駆動される側に設けられたシャフト７１２ａを基準に両側のシャフト７１２ａ、７１２ｂを共通化することで、径の小さいシャフトを共通の部品とすることができ、より効果的にコストダウンが可能になる。
［他の実施形態］
以上、本発明の一実施形態について説明したが、本発明は上記実施形態に限定されるものではなく、発明の要旨を逸脱しない範囲で種々の変更が可能である。
【００７２】
（Ａ）
上記実施形態では、アウターロータ方式のファンモータによって回転させられるファンを空調室内機のファンの一例として挙げて説明した。しかし、本発明はこれに限定されるものではない。例えば、インナーロータ方式のファンであっても、予めファンモータ側に設けられた回転軸を、他方の側の回転軸と共通の部品を用いて構成することにより、上記と同様の効果を得ることができる。
【００７３】
（Ｂ）
上記実施形態では本発明をクロスフローファンに適用した例を挙げて説明した。しかし、本発明はこれに限定されるものではない。例えば、両端にシャフトを備えたファンであれば他のファンであっても同様に適用可能である。
【００７４】
（Ｃ）
上記実施形態では、本発明の一実施形態に係る軸受け機構を備えた送風装置、空気調和装置に適用した例を挙げて説明した。しかし、本発明はこれに限定されるものではなく、ファンの両端に回転軸と軸受けとからなる軸受け機構を備えた他の用途にも適用可能である。
【００７５】
（Ｄ）
上記実施形態では、左右両端のシャフト７１２ａ、７１２ｂが共通の部品で構成されている例を挙げて説明した。しかし、本発明はこれに限定されるものではない。例えば、共通の部品でなくても、共通の軸径で構成されていれば、共通の材料を用いてシャフト７１２ａ，７１２ｂを構成できるため、シャフト７１２ａ、７１２ｂを構成する材料の種類を減らしてコストダウンが図れる。
【産業上の利用可能性】
【００７６】
左右両端にシャフトと軸受けとを備えたクロスフローファン等の軸受け機構およびこれを搭載する送風装置、空気調和装置等に適用可能である。
【図面の簡単な説明】
【００７７】
【図１】本発明の一実施形態に係るクロスフローファンを搭載した空気調和装置の外観図。
【図２】冷媒回路の構成図。
【図３】室内機の右側面断面図。
【図４】送風ユニットの右側部分の上面図。
【図５】クロスフローファンと室内ファンモータとのＸ―Ｘ断面図。
【図６】クロスフローファンとロータとシャフトとの連結工程を示すフロー図。
【図７】本発明の一実施形態に係るクロスフローファンとモータ回転子との位置関係を示す断面図。
【図８】従来の片側２点支持されたクロスフローファンを示す断面図。
【符号の説明】
【００７８】
１                  空気調和装置
２                  室内機
３                  室外機
７                  送風機構
８                  送風ユニット（送風装置）
５０                室内熱交換器（空気調和部）
７１                クロスフローファン（空調室内機のファン）
７１１              羽部（翼片）
７１２ａ            シャフト（第１の回転軸）
７１２ｂ            シャフト（第２の回転軸）
７１３              ロータ（モータ回転子）
７２                室内ファンモータ
７２０              ステータ（モータ固定子）
７２２ａ            軸受け（第１の軸受け）
７２２ｂ            軸受け（第２の軸受け）
７２３ａ、７２３ｂ  軸受け保持部（軸受け保持部材）
７５                軸受け機構
Ａ１                仮想の回転軸
【図１】
2005069124.tif 000003
【図２】
2005069124.tif 000004
【図３】
2005069124.tif 000005
【図４】
2005069124.tif 000006
【図５】
2005069124.tif 000007
【図６】
2005069124.tif 000008
【図７】
2005069124.tif 000009
【図８】
2005069124.tif 000010